(57)【要約】  圧延機レイングヘッドにおいて、湾曲したレイングパイプ（３６）を、オーガー形状の支持板（２６）の相応に湾曲した縁部に沿って解離可能に保持するためのクランプアセンブリ（１０）が開示されている。クランプアセンブリ（１０）は、支持板（２６）の湾曲した縁部に固定されかつこの縁部から突出したボス（１２）を有する。ボス（１２）は、このボスを貫通した第１の開口と、外側支持面とを有する。概してＵ字形のクランプは、互いに間隔を置いた側壁（３２）を結合したブリッジングウェブ（３０）を有しており、前記側壁（３２）を第２の開口（３４）が貫通している。側壁（３２）は、ボス（１２）に跨るように構成及び配置されており、その際、第２の開口（３４）が、ボス（１２）に設けられた第１の開口と整合し、ブリッジングウェブ（３０）がボス（１２）の外側支持面と協働して、ブリッジングウェブとボスの外側支持面との間にレイングパイプ（３６）の円弧を閉じ込める。ピン（１６）は、挿入された位置において、ボス（１２）及び側壁（３２）に設けられた整合した第１及び第２の開口を貫通している。
2013514892.tif 000002
【特許請求の範囲】
【請求項１】
圧延機レイングヘッドにおいて、湾曲したレイングパイプを、オーガー形状の支持板の相応に湾曲した縁部に沿って解離可能に保持するためのクランプアセンブリにおいて、該クランプアセンブリに、
前記支持板の湾曲した縁部に固定されかつ該縁部から突出したボスが設けられており、該ボスが、該ボスを貫通した第１の開口と、外側支持面とを有しており、
互いに間隔を置いた側壁を結合したブリッジングウェブを有する概してＵ字形のクランプが設けられており、前記側壁が、該側壁を貫通した第２の開口を有しており、
前記側壁が、前記ボスに跨るように構成及び配置されており、その際、前記側壁に設けられた第２の開口が前記ボスに設けられた第１の開口と整合し、かつ前記ブリッジングウェブが前記ボスの外側支持面と協働して、前記ブリッジングウェブと前記ボスの外側支持面との間にレイングパイプの円弧を閉じ込め、
挿入された位置において、前記ボス及び前記側壁に設けられた整合した第１及び第２の開口を貫通するピンが設けられていることを特徴とする、クランプアセンブリ。
【請求項２】
前記側壁の下端が、前記ボスの両側に設けられたポケットに収容されている、請求項１記載のクランプアセンブリ。
【請求項３】
前記ピンを前記挿入された位置に解放可能に保持するための連結手段が設けられている、請求項１記載のクランプアセンブリ。
【請求項４】
前記ピンが、前記第１及び第２の開口に受容された円筒形の胴部を有しており、前記連結手段が、前記側壁のうちの一方の外側に設けられたカラーと、該カラーと連結係合するための、前記ピンの円筒形の胴部から軸方向に突出した、直径が減じられた軸とを有する、請求項３記載のクランプアセンブリ。
【請求項５】
前記軸に設けられたロックピンの半径方向に突出した端部と、前記側壁に設けられた第２の開口と整合した、前記カラーに設けられた第３の開口と、該第３の開口と連通した半径方向のスロットと、前記第３の開口と連通しかつ前記スロットに対して９０゜で配置された浅い切欠とが設けられており、前記第３の開口と、前記スロットとが、前記軸と、前記ロックピンの半径方向に突出した端部とを通過させ、通過させた後、前記半径方向に突出した端部を前記切欠に嵌合した位置に向かって又は前記切欠に嵌合した位置から外れるように操作するために前記ピンを回転させるように構成されている、請求項４記載のクランプアセンブリ。
【請求項６】
前記半径方向に突出した端部を、前記切欠に嵌合した位置に弾性的に保持するための手段が設けられている、請求項５記載のクランプアセンブリ。
【請求項７】
前記ピンを前記挿入された位置に解放可能に保持するための連結手段が設けられている、請求項２記載のクランプアセンブリ。
【発明の詳細な説明】
【技術分野】
【０００１】
１．発明の分野
本発明は、熱間圧延された棒材及びその他の同様の製品をリングに形成するために圧延機で使用される形式のレイングヘッドに関する。
【０００２】
２．従来技術の説明
圧延機レイングヘッドにおいて、熱間圧延された棒材は、一連のクランプによってオーガー形状の支持板の縁部に取外し可能に保持された三次元に湾曲したレイングパイプを通過させられる。支持板はパイプ支持体の一部を形成しており、このパイプ支持体は、高速で回転させられることにより、レイングパイプから出てくる棒材を連続したリングに形成する。
【０００３】
クランプは通常はピンによって所定の位置に保持されており、そのピンはリテーニングボルトによって固定されている。圧延機運転中、熱間圧延された棒材は、高速でレイングパイプを通過し、パイプの湾曲に追従するように強制され、その結果パイプ内部の摩耗を生じる。摩耗が深刻な場合、これは棒材の材料、温度及び速度によって決定される期間で生じるが、レイングパイプは交換されなければならない。パイプ交換を行う場合、摩耗したレイングパイプを新たなパイプと交換することができる前に全てのクランプがまず取り外されなければならず、次いで、交換用パイプが所定の位置に配置されるとクランプが再び取り付けられなければならない。これは、リテーニングボルトの取外し及び交換を必要とし、労力の大きな時間のかかる作業であり、長い圧延機停止時間を生じ、これは生産量及び圧延機効率に悪影響を及ぼす。
【０００４】
したがって、レイングパイプを所定の位置に確実に保持するだけでなく、レイングパイプを交換する際により簡単にかつ迅速に取り外しかつ再び取り付けることができる改良されたクランプアセンブリが必要とされている。
【０００５】
発明の概要
本発明によるクランプアセンブリは、レイングヘッドのオーガー形状の支持板の縁部に固定されかつこの縁部から突出したボスを有している。このボスは、ボスを貫通した第１の開口と、外側支持面とを有している。ほぼＵ字形のクランプは、互いに間隔を置かれた脚を結合したブリッジングウェブを有しており、第２の開口が前記脚を貫通している。脚は、ボスに跨るように構成及び配置されており、その際、脚に設けられた第２の開口はボスに設けられた第１の開口と整合し、ブリッジングウェブはボスに設けられた外側支持面と協働して、レイングパイプの円弧が閉じ込められる空間を形成する。ピンは、整合させられたボスにおける第１の開口とクランプ脚における第２の開口とを貫通した挿入された位置に解放可能に保持されている。
【０００６】
本発明のこれらの特徴又はその他の特徴及びそれに付随する利点は、添付の図面を参照して以下でさらに詳細に説明する。
【図面の簡単な説明】
【０００７】
【図１】レイングパイプの円弧をレイングヘッドパイプ支持体のオーガー形状の板に保持している本発明によるクランプを示す図である。
【図２】図１の線２−２に沿った断面図である。
【図３】クランプコンポーネントの分解図である。
【図４】リテーニングピンの挿入及び連結係合における一連の段階を示す斜視図である。
【０００８】
詳細な説明
まず図１から図３を参照すると、本発明によるクランプアセンブリは概して符号１０で示されている。クランプアセンブリは、ボス１２と、概してＵ字形のクランプ１４と、リテーニングピン１６とを有している。
【０００９】
ボス１２は、第１の貫通開口１８と、外側の湾曲した支持面２０とを有している。溝形のポケット２２がボスの両側に配置されている。ボスは、パイプ支持体のオーガー状の支持板２６の湾曲した縁部に設けられた対応する形状の切欠２４に嵌合されている。
【００１０】
クランプ１４は、互いに間隔を置いた側壁３２を結合したブリッジングウェブ３０を有しており、第２の開口３４が側壁３２を貫通している。側壁はボス１２に跨るように構成及び配置されており、その際、第２の開口３４がボスにおける第１の開口１８と整合し、ブリッジングウェブ３０がボスの外側の湾曲した支持面２０と協働してレイングヘッドの湾曲したレイングパイプの円弧３６を閉じ込め、側壁の下端が溝形のポケット２２に収容される。
【００１１】
側壁３２のうちの一方の外側にはカラー３８が設けられている。カラーは、第１の開口１８と整合した第３の開口４０を有している。スロット４２が開口４０から半径方向に延びており、浅い切欠４４がスロットに対して９０゜で配置されている。
【００１２】
ピン１６は、フランジ付き端部４８から、半径方向に突出した端部５２を有するロックピンによって貫通された、直径が減じられた軸５０まで延びている円筒状の胴部４６を有している。圧縮ばね５４は、軸５０上に受け止められ、胴部４６と、ロックピンの端部５２との間に保持されている。
【００１３】
図４Ｂに示したように、軸５０が第３の開口４０から突出するように、整合した開口１８，３４にピン１６を挿入することによって、クランプ１４はボス１２に保持される。この段階において、ロックピンの端部５２はスロット４２を通過させられ、ばね５４が胴部４６とカラー３８の内面との間で圧縮される。次いで、ピンは９０゜だけ回転させられ、ばね５４の力を受けることによって引き戻され、これにより、ロックピンの端部５２を切欠４４に嵌合させ、ピン１６が逆回転しないように機械的に固定する。
【００１４】
ピン１６の抜取りは、単に上記手順を逆に行うことにより簡単に達成される。
【００１５】
つまり、レイングヘッドの高速運転中にもピンが所定の位置にとどまることを保証するために付加的なねじ山付きボルト等を用いる必要なく、唯一のリテーニングピンの挿入及び抜取りによって本発明のクランプアセンブリを簡単に組み立てかつ分解することができることが今では当業者によって認められるであろう。
【００１６】
前記説明は、発明を例示するために示されており、限定しようとするものではない。発明の思想及び実質を組み込んだ前記実施形態のさらなる変更に当業者が想到する場合もあるため、発明の範囲は、添付された請求の範囲及びその均等物のみに関して限定されるべきである。
【図１】
2013514892.tif 000003
【図２】
2013514892.tif 000004
【図３】
2013514892.tif 000005
【図４Ａ】
2013514892.tif 000006
【図４Ｂ】
2013514892.tif 000007
【図４Ｃ】
2013514892.tif 000008
【国際調査報告】
2013514892.tif 000009
2013514892.tif 000010